(57)【特許請求の範囲】
【請求項１】
欠陥エリア及びこの欠陥エリアの交替先となるスペアエリアの関係を示す欠陥管理情報を記録するためのエリアであって、事前に規定された位置に配置される欠陥管理エリアと、
前記欠陥管理エリア内の欠陥検出に基づき、前記欠陥管理エリアに記録された欠陥管理情報の交替先となるエリアであって、事前に規定された位置に配置される予備エリアと、
前記欠陥管理エリア及び前記予備エリアのうちのどのエリアに現在の欠陥管理情報が記録されているかを示す情報を記録するための管理エリアと、
を備えたことを特徴とする情報記録媒体。
【請求項２】
欠陥エリア及びこの欠陥エリアの交替先となるスペアエリアの関係を示す欠陥管理情報を記録するためのエリアであって、事前に規定された位置に配置される欠陥管理エリアと、前記欠陥管理エリア内の欠陥検出に基づき、前記欠陥管理エリアに記録された欠陥管理情報の交替先となるエリアであって、事前に規定された位置に配置される予備エリアと、前記欠陥管理エリア及び前記予備エリアのうちのどのエリアに現在の欠陥管理情報が記録されているかを示す情報を記録するための管理エリアとを備えた情報記録媒体に対して情報を記録する情報記録方法であって、
前記管理エリアに記録された情報に基づき前記欠陥管理エリア又は前記予備エリアに記録された現在の欠陥管理情報を読み出し、
前記読み出した現在の欠陥管理情報に基づき欠陥エリアの交替先のスペアエリアに対して情報を記録する、
ことを特徴とする情報記録方法。
【請求項３】
欠陥エリア及びこの欠陥エリアの交替先となるスペアエリアの関係を示す欠陥管理情報を記録するためのエリアであって、事前に規定された位置に配置される欠陥管理エリアと、前記欠陥管理エリア内の欠陥検出に基づき、前記欠陥管理エリアに記録された欠陥管理情報の交替先となるエリアであって、事前に規定された位置に配置される予備エリアと、前記欠陥管理エリア及び前記予備エリアのうちのどのエリアに現在の欠陥管理情報が記録されているかを示す情報を記録するための管理エリアとを備えた情報記録媒体に対して情報を記録する情報記録装置であって、
前記管理エリアに記録された情報に基づき前記欠陥管理エリア又は前記予備エリアに記録された現在の欠陥管理情報を読み出す読出手段と、
前記読み出した現在の欠陥管理情報に基づき欠陥エリアの交替先のスペアエリアに対して情報を記録する記録手段と、
を備えたことを特徴とする情報記録装置。
【請求項４】
欠陥エリア及びこの欠陥エリアの交替先となるスペアエリアの関係を示す欠陥管理情報を記録するためのエリアであって、事前に規定された位置に配置される欠陥管理エリアと、前記欠陥管理エリア内の欠陥検出に基づき、前記欠陥管理エリアに記録された欠陥管理情報の交替先となるエリアであって、事前に規定された位置に配置される予備エリアと、前記欠陥管理エリア及び前記予備エリアのうちのどのエリアに現在の欠陥管理情報が記録されているかを示す情報を記録するための管理エリアとを備えた情報記録媒体から情報を再生する情報再生方法であって、
前記管理エリアに記録された情報に基づき前記欠陥管理エリア又は前記予備エリアに記録された現在の欠陥管理情報を読み出し、
前記読み出した現在の欠陥管理情報に基づき欠陥エリアの交替先のスペアエリアから情報を再生する、
ことを特徴とする情報再生方法。
【請求項５】
欠陥エリア及びこの欠陥エリアの交替先となるスペアエリアの関係を示す欠陥管理情報を記録するためのエリアであって、事前に規定された位置に配置される欠陥管理エリアと、前記欠陥管理エリア内の欠陥検出に基づき、前記欠陥管理エリアに記録された欠陥管理情報の交替先となるエリアであって、事前に規定された位置に配置される予備エリアと、前記欠陥管理エリア及び前記予備エリアのうちのどのエリアに現在の欠陥管理情報が記録されているかを示す情報を記録するための管理エリアとを備えた情報記録媒体から情報を再生する情報再生装置であって、
前記管理エリアに記録された情報に基づき前記欠陥管理エリア又は前記予備エリアに記録された現在の欠陥管理情報を読み出す読出手段と、
前記読み出した現在の欠陥管理情報に基づき欠陥エリアの交替先のスペアエリアから情報を再生する再生手段と、
を備えたことを特徴とする情報再生装置。
【発明の詳細な説明】
【０００１】
【発明の属する技術分野】
この発明は、高密度記録を特徴とするＤＶＤ（Digital Video Disk）などの情報記録媒体に関する。特に、書き換え可能な情報記録媒体に関する。また、この発明は、このような情報記録媒体に対して情報を記録する情報記録装置及び情報記録方法に関する。さらに、この発明は、このような情報記録媒体から情報を再生する情報再生装置及び情報再生方法に関する。
【０００２】
【従来の技術】
近年、高密度記録を特徴とするＤＶＤの研究開発が盛んに進められている。ＤＶＤには、大きく分けて、再生専用のＤＶＤ−ＲＯＭと、書き換え可能なＤＶＤ−ＲＡＭとがある。ＤＶＤ−ＲＡＭには、リードインエリア、データエリア、及びリードアウトエリアが設けられている。さらに、データエリアには、ユーザデータが記録されるユーザエリア、及びユーザエリアに存在する欠陥エリアを補償するためのスペアエリアが設けられている。欠陥管理にはリードインとリードアウトにある欠陥管理用テーブルが用いられ、この欠陥管理に基づき交替処理が行なわれる。例えば、特開平１１−１８５３９０には、欠陥管理に関する技術が開示されている。
【０００３】
【発明が解決しようとする課題】
ところが、欠陥管理用テーブルの位置はフォーマットで固定的に割り当てられており、同一内容の複数のテーブルを用意することでテーブル自体の信頼性を高めていた。しかしこの方法では欠陥が発生する度に、全テーブルを書き換える必要がありアクセスが遅くなるという問題があった。
【０００４】
この発明の目的は、上記したような事情に鑑み成されたものであって、下記の情報記録媒体、情報記録装置、情報記録方法、情報再生装置、及び情報再生方法を提供することにある。
【０００５】
（１）交替処理速度の向上に貢献することが可能なデータ構造を有する情報記録媒体。
【０００６】
（２）交替処理速度を向上させることが可能な情報記録装置及び情報記録方法。
【０００７】
（３）交替処理速度の向上に貢献するデータ構造を有する情報記録媒体を正確に再生することが可能な情報再生装置及び情報再生方法。
【０００８】
【課題を解決するための手段】
上記課題を解決し目的を達成するために、この発明の情報記録媒体、情報記録装置、情報記録方法、情報再生装置、及び情報再生方法は、以下のように構成されている。
【０００９】
（１）この発明の情報記録媒体は、各種制御情報が記録される制御エリアと、ユーザデータが記録されるデータエリアとを備え、前記データエリアは、このデータエリア内に存在し得る欠陥エリアの交替先となるスペアエリアと、前記欠陥エリアと前記スペアエリアの関係を示す欠陥管理情報を格納する欠陥管理エリアとを有し、前記制御エリアは、前記欠陥管理エリアの位置を示すアドレスデータを格納するアドレスエリアを有することを特徴とする。
【００１０】
（２）この発明の情報記録装置は、（１）に記載の情報記録媒体に対して情報を記録する装置であって、前記アドレスエリアからアドレスデータを読み出し、このアドレスデータに基づき前記欠陥管理エリアから欠陥管理情報を読み出す前処理手段と、前記データエリアに目的のデータを記録する記録手段と、前記欠陥管理情報に基づき、前記目的のデータの記録先が欠陥エリアに該当することが判明した場合には、この目的のデータをこの欠陥エリアの交替先となるスペアエリアに記録させる交替記録手段と、前記交替記録手段により交替記録されたことを示す情報を前記欠陥管理エリアに記録する後処理手段とを備えている。
【００１１】
（３）この発明の情報記録方法は、（１）に記載の情報記録媒体に対して情報を記録する方法であって、前記アドレスエリアからアドレスデータを読み出し、このアドレスデータに基づき前記欠陥管理エリアから欠陥管理情報を読み出す第１のステップと、前記欠陥管理情報に基づき、目的のデータの記録先が欠陥エリアに該当することが判明した場合には、この目的のデータをこの欠陥エリアの交替先となるスペアエリアに記録させる第２のステップと、前記第２のステップにより交替記録されたことを示す情報を前記欠陥管理エリアに記録する第３のステップとを備えている。
【００１２】
（４）この発明の情報再生装置は、（１）に記載の情報記録媒体から情報を再生する装置であって、前記アドレスエリアからアドレスデータを読み出し、このアドレスデータに基づき前記欠陥管理エリアから欠陥管理情報を読み出す前処理手段と、前記データエリアから目的のデータを再生する再生手段と、前記欠陥管理情報に基づき、前記目的のデータの記録先が欠陥エリアに該当することが判明した場合には、この目的のデータをこの欠陥エリアの交替先となるスペアエリアから再生する交替再生手段とを備えている。
【００１３】
（５）この発明の情報再生方法は、（１）に記載の情報記録媒体から情報を再生する方法であって、前記アドレスエリアからアドレスデータを読み出し、このアドレスデータに基づき前記欠陥管理エリアから欠陥管理情報を読み出す第１のステップと、前記欠陥管理情報に基づき、目的のデータの記録先が欠陥エリアに該当することが判明した場合には、この目的のデータをこの欠陥エリアの交替先となるスペアエリアから再生する第２のステップとを備えている。
【００１４】
【発明の実施の形態】
以下、この発明の実施の形態について図面を参照して説明する。
【００１５】
最初に、図１を参照して、この発明に係る情報記録媒体としての光ディスク（ＤＶＤ−ＲＡＭディスク）１の一例を説明する。
【００１６】
図１は、光ディスク上のリードインエリア、データエリア、及びリードアウトエリアなどの配置を示す図である。
【００１７】
図１に示すように、光ディスク１には、内周側から順に、リードインエリアＡ１、データエリアＡ２、及びリードアウトエリアＡ３が設けられている。リードインエリアＡ１には、エンボスデータゾーン、ミラーゾーン（無記録ゾーン）、及びリライタブルデータゾーンが設けられている。データエリアＡ２には、リライタブルデータゾーンが設けられており、このリライタブルデータゾーンには、複数のゾーン、ゾーン０〜ゾーンＮが設けられている。リードアウトエリアＡ３には、リライタブルデータゾーンが設けられている。
【００１８】
リードインエリアＡ１のエンボスデータゾーンには、光ディスク１の製造時に、リファレンスシグナルやコントロールデータがエンボス記録される。リードインエリアＡ１のリライタブルデータゾーンには、ディスクの種類を識別するための識別データ、及び欠陥エリアを管理するための欠陥管理データなどが記録されている。なお、この欠陥管理データが記録されるエリアを、欠陥管理エリア（ＤＭＡ：Defect Management Area）とする。リードアウトエリアＡ３のリライタブルデータゾーンには、リードインエリアＡ１のリライタブルデータゾーンに記録されたデータと同じデータが記録される。
【００１９】
リードインエリアＡ１に設けられたエンボスデータゾーンは、複数のトラックにより構成されており、各トラックは複数のセクタフィールドにより構成されている。また、このゾーンは、所定の回転速度で処理される。
【００２０】
リードインエリアＡ１に設けられたリライタブルデータゾーン及びデータエリアＡ２に設けられたリライタブルデータゾーンのゾーン０は、Ｘ個のトラックにより構成されており、各トラックはＹ個のセクタフィールドにより構成されている。また、このゾーンは、回転速度Ｚ０（Ｈｚ）で処理される。
【００２１】
データエリアＡ２に設けられたリライタブルデータゾーンのゾーン１は、Ｘ個のトラックにより構成されており、各トラックは（Ｙ＋１）個のセクタフィールドにより構成されている。また、このゾーンは、回転速度Ｚ１（Ｈｚ）で処理される（Ｚ０＞Ｚ１）。
【００２２】
データエリアＡ２に設けられたリライタブルデータゾーンのゾーン２は、Ｘ個のトラックにより構成されており、各トラックは（Ｙ＋２）個のセクタフィールドにより構成されている。また、このゾーンは、回転速度Ｚ２（Ｈｚ）で処理される（Ｚ１＞Ｚ２）。
【００２３】
以下、データエリアＡ２に設けられたリライタブルデータゾーンのゾーン３〜ゾーンＮは、夫々が、Ｘ個のトラックにより構成されている。そして、ゾーン３の各トラックは（Ｙ＋３）個のセクタフィールドにより構成されており、ゾーン４の各トラックは（Ｙ＋４）個のセクタフィールドにより構成されている。つまり、ゾーンＮの各トラックは（Ｙ＋Ｎ）個のセクタフィールドにより構成されている。また、ゾーン３は、回転速度Ｚ３（Ｈｚ）で処理され（Ｚ２＞Ｚ３）、ゾーン４は、回転速度Ｚ４（Ｈｚ）で処理される（Ｚ３＞Ｚ４）。つまり、ゾーンＮは、回転速度ＺＮ（Ｈｚ）で処理される（Ｚ（Ｎ−１）＞ＺＮ）。
【００２４】
リードアウトエリアＡ３に設けられたリライタブルデータゾーンは、複数のトラックにより構成されており、各トラックは（Ｙ＋Ｎ）個のセクタフィールドにより構成されている。また、このゾーンは、回転速度ＺＮ（Ｈｚ）で処理される。
【００２５】
上記説明したように、光ディスク１の内周側のゾーンから順に、１トラックあたりのセクタフィールド数が増加するようになっており、且つ回転速度が低下するようになっている。つまり、光ディスク１は、ＺＣＬＶ（Zone Constant Linear Velocity）方式が対象のディスクである。
【００２６】
続いて、図２を参照して、ＤＶＤ−ＲＡＭディスク上のセクタフィールドのフォーマットについて説明する。
【００２７】
図２に示すように、１セクタフィールドは、およそ２６９７バイトで構成されている。このセクタフィールドには、８−１６変調により変調されたデータが記録される。８−１６変調は、８ビットの入力符号系列を、１６ビットの出力符号系列に変調する変調方式である。また、入力符号系列は入力ビットと呼ばれ、出力符号系列はチャネルビットと呼ばれる。因みに、１バイトは１６チャネルビットと同じ意味である。
【００２８】
ここで、１セクタフィールドの内訳について説明する。１セクタフィールドは、１２８バイトのヘッダフィールドＨＦ、２バイトのミラーフィールドＭＦ、２５６７バイトのレコーディングフィールドＲＦで構成される。
【００２９】
ヘッダフィールドＨＦには、光ディスクの製造工程においてヘッダデータがエンボス記録される。このヘッダフィールドＨＦには、ヘッダデータの検出精度を向上させるためにヘッダデータが４重書きされている。つまり、このヘッダフィールドＨＦには、ヘッダ１フィールド、ヘッダ２フィールド、ヘッダ３フィールド、及びヘッダ４フィールドが含まれる。ヘッダ１フィールド及びヘッダ３フィールドは４６バイトで構成されている。ヘッダ２フィールド及びヘッダ３フィールドは１８バイトで構成されている。
【００３０】
ヘッダ１フィールドには、３６バイトのＶＦＯ（Variable Frequency Oscillator）１、３バイトのＡＭ（Address Mark）、４バイトのＰＩＤ（Physical ID）１、２バイトのＩＥＤ（ID Error Detection Code)１、１バイトのＰＡ（Post Ambles）１が含まれている。
【００３１】
ヘッダ２フィールドには、８バイトのＶＦＯ２、３バイトのＡＭ、４バイトのＰＩＤ２、２バイトのＩＥＤ２、１バイトのＰＡ２が含まれている。
【００３２】
ヘッダ３フィールドには、３６バイトのＶＦＯ１、３バイトのＡＭ、４バイトのＰＩＤ３、２バイトのＩＥＤ３、１バイトのＰＡ１が含まれている。
【００３３】
ヘッダ４フィールドには、８バイトのＶＦＯ２、３バイトのＡＭ、４バイトのＰＩＤ４、２バイトのＩＥＤ４、１バイトのＰＡ２が含まれている。
【００３４】
ＰＩＤ１、ＰＩＤ２、ＰＩＤ３、及びＰＩＤ４には、セクタインフォメーション及び物理セクタナンバー（物理アドレス）が含まれている。ＶＦＯ１及びＶＦＯ２には、ＰＬＬ（Phase Locked Loop）の引き込みを行うための連続的な繰返しパターン（１０００１０００１０００…）が含まれている。ＡＭには、ＰＩＤの位置を示すためのランレングス制限に違反する特殊なパターン（アドレスマーク）が記録されている。ＩＥＤ１、ＩＥＤ２、ＩＥＤ３、及びＩＥＤ４には、ＰＩＤのエラーを検出するためのエラー検出符号が含まれている。ＰＡには、復調に必要なステート情報が含まれており、ヘッダフィールドＨＦがスペースで終了するよう極性調整の役割も持つ。ミラーフィールドＭＦは、鏡面のフィールドである。
【００３５】
レコーディングフィールドＲＦは、主に、ユーザデータが記録されるフィールドである。レコーディングフィールドには、（１０＋Ｊ／１６）バイトのギャップフィールド、（２０＋Ｋ）バイトのガード１フィールド、３５バイトのＶＦＯ３フィールド、３バイトのＰＳ（pre-synchronous code）フィールド、２４１８バイトのデータフィールド（ユーザデータフィールド）、１バイトのポストアンブルＰＡ３フィールド、（５５−Ｋ）バイトのガード２フィールド、および（２５−Ｊ／１６）バイトのバッファフィールドが含まれている。因みに、Ｊは０〜１５、Ｋは０〜７の整数でランダムな値をとる。これにより、データ書始めの位置がランダムにシフトされる。その結果、オーバーライトによる記録膜の劣化を低減できる。
【００３６】
ギャップフィールドには、何も記録されていない。ガード１フィールドは、相変化記録膜特有の繰返しオーバーライトの始端劣化を吸収するための捨て領域である。ＶＦＯ３フィールドは、ＰＬＬロック用のフィールドであるとともに、同一パターンの中に同期コードを挿入し、バイト境界の同期をとる役割も果たす。ＰＳフィールドは、同期コードが記録されるフィールドである。
【００３７】
データフィールドは、データＩＤ、データＩＤエラー訂正コードＩＥＤ（Data ID Error Detection Code）、同期コード、エラー訂正コードＥＣＣ（Error Collection Code ）、エラー検出コードＥＤＣ（Error Detection Code）、２０４８バイトのユーザデータ等が記録されるフィールドである。データＩＤには、論理セクタナンバー（論理アドレス）が含まれる。データＩＤエラー訂正コードＩＥＤは、データＩＤ用の２バイト（１６ビット）構成のエラー訂正コードである。
【００３８】
ポストアンブルＰＡ３フィールドは、復調に必要なステート情報を含んでおり、前のデータフィールドの最終バイトの終結を示すフィールドである。ガード２フィールドは、相変化記録媒体特有の繰り返し記録時の終端劣化がデータフィールドにまで及ばないようにするために設けられたフィールドである。バッファフィールドは、データフィールドが次のヘッダフィールドにかからないように、光ディスク１を回転するモータの回転変動などを吸収するために設けられたフィールドである。
【００３９】
続いて、ＰＩＤ１、ＰＩＤ２、ＰＩＤ３、及びＰＩＤ４について具体的に説明する。これらＰＩＤには、８ビットのセクタインフォメーションと、２４ビットの物理セクタナンバーが含まれている。物理セクタナンバーには、セクタフィールドの絶対位置を示すアドレスデータが記録される。セクタインフォメーションには、２ビットのリザーブ、２ビットのＰＩＤナンバー、３ビットのセクタタイプ、１ビットのレイヤーナンバーなどの情報が含まれる。リザーブは、無記録領域である。ＰＩＤナンバーには、ＰＩＤナンバーが記録される。例えば、ヘッダ１フィールド中におけるＰＩＤナンバーにはＰＩＤ１を示す“００”、ヘッダ２フィールド中におけるＰＩＤナンバーにはＰＩＤ２を示す“０１”、ヘッダ３フィールド中におけるＰＩＤナンバーにはＰＩＤ３を示す“１０”、ヘッダ４フィールド中におけるＰＩＤナンバーにはＰＩＤ４を示す“１１”が記録される。
【００４０】
セクタタイプには、読み出し専用セクタ（Read only sector）であることを示す“０００”、リザーブセクタ（Reserved）であることを示す“００１”、“０１０”、又は“０１１”、ランド又はグルーブトラックの書き換え可能な先頭セクタ（Rewritable first sector）であることを示す“１００”、ランド又はグルーブトラックの書き換え可能な最終セクタ（Rewritable last sector）であることを示す“１０１”、ランド又はグルーブトラックの書き換え可能な最終セクタの一つ手前のセクタ（Rewritable before last sector）であることを示す“１１０”、ランド又はグルーブトラックの書き換え可能なその他のセクタ（Rewritable other sector）であることを示す“１１１”が記録される。
【００４１】
レイヤーナンバーには、レイヤー１又は０を示す“１”又は“０”が記録される。
【００４２】
続いて、図３〜図４を参照して、ＤＶＤ−ＲＡＭに記録されるデータの構造及びＤＶＤ−ＲＡＭから再生されるデータの構造について説明する。図３は、ＥＣＣブロックデータの構造を概略的に示す図である。図４は、図２に示すデータフィールドに記録されるセクタデータのデータ構造を概略的に示す図である。
【００４３】
ＤＶＤ−ＲＡＭには、データが記録されるトラックが形成されており、このトラックには所定単位のデータが記録されるセクタフィールドが複数形成されている。また、ＤＶＤ−ＲＡＭには、ＥＣＣブロックデータと呼ばれるフォーマットのデータが記録されるようになっている。厳密に言うと、ＥＣＣブロックデータから生成される１６個のセクタデータが、１６個のセクタフィールドに分散記録されるようになっている。さらに言うと、一塊りのセクタデータは、図２に示す２４１８バイトのデータフィールドに記録される。
【００４４】
図３に示すように、ＥＣＣブロックデータは、データブロックＤＢ（ユーザデータを含む）、横方向のエラー訂正コードＥＣＣ１、及び縦方向のエラー訂正コードＥＣＣ２で構成されている。
【００４５】
データブロックＤＢは、所定数の行及び列に沿って配列されたデータにより構成されており、このデータブロックＤＢは１６個のデータユニットＤＵに分割することができる。さらに詳しく言うと、データブロックＤＢは、１７２（バイト数）×１２（データユニットを構成する行数）×１６（データブロックを構成するデータユニット数）のデータにより構成されている。データユニットＤＵは、１７２（バイト数）×１２（データユニットを構成する行数）のデータにより構成されている。また、データユニットＤＵには、データＩＤ、データＩＤエラー訂正コードＩＥＤ、エラー検出コードＥＤＣ、２０４８バイトのユーザデータ等が含まれている。データＩＤは、データユニットＤＵに含まれるユーザデータのスクランブルに利用される。エラー検出コードＥＤＣは、データユニット内の一部のデータの集まりに含まれるエラーを検出するためのものである。
【００４６】
横方向のエラー訂正コードＥＣＣ１は、データブロックＤＢのうちの行方向（横方向）のデータに含まれるエラーを訂正するものである。さらに詳しく言うと、横方向のエラー訂正コードＥＣＣ１は、１０（バイト）×１２（データユニットＤＵを構成する行数）×１６（データブロックＤＢを構成するデータユニットＤＵの数）のデータにより構成されている。
【００４７】
縦方向のエラー訂正コードＥＣＣ２は、データブロックＤＢのうちの列方向（縦方向）のデータに含まれるエラーを訂正するものである。さらに詳しく言うと、縦方向のエラー訂正コードＥＣＣ２は、｛１７２（バイト）＋１０（バイト）｝×１６（データブロックＤＢを構成するデータユニットＤＵの数）のデータにより構成されている。
【００４８】
続いて、図４を参照して、セクタデータについて説明する。
【００４９】
一つのＥＣＣブロックデータから１６個のセクタデータが生成される。一つのセクタデータは、データユニットＤＵ、このデータユニットＤＵに対して付与されている横方向のエラー訂正コードＥＣＣ１の一部、及び縦方向のエラー訂正コードＥＣＣ２の一部により構成されている。さらに詳しく言うと、セクタデータは、｛１７２（バイト）＋１０（バイト）｝×１２（データユニットＤＵを構成する行数）＋１（縦方向のエラー訂正コードＥＣＣ２の１列分）のデータにより構成されている。
【００５０】
続いて、図５を参照して、ディスク全体のデータ構造、特にリードインエリアＡ１、データエリアＡ２、及びリードアウトエリアＡ３に配置される欠陥管理に関する各種エリアを示す図である。図５に示すように、リードインエリアＡ１及びリードアウトエリアＡ３には、ＤＭＡアドレスエリアが設けられている。このＤＭＡアドレスエリアには、図６に示すように、ＤＭＡの位置を示すアドレスデータが格納されている。例えば、図６（ａ）に示すように、ＤＭＡの先頭のアドレスデータ（４バイト）とＤＭＡのレングスデータ（４バイト）とが格納されている。又は、図６（ｂ）に示すように、ＤＭＡの先頭のアドレスデータ（４バイト）と最終のアドレスデータ（４バイト）とが格納されている。
【００５１】
このアドレスデータにより位置が示されるＤＭＡは、データエリア内（特にユーザエリア内）に定義される。つまり、ＤＭＡは後述する交替処理の対象となる。ＤＭＡの交替先は、ＤＭＡ予備エリア１、ＤＭＡ予備エリア２、…、ＤＭＡ予備エリアＮである。図５では、ＤＭＡ予備エリアをユーザエリア内に配置するケースについて示しているが、ＤＭＡ予備エリアをスペアエリア内に配置するようにしてもよい。これにより、ＤＭＡを多重書きすることなく、ＤＭＡに格納されるデータの信頼性を維持することができる。このＤＭＡには、欠陥管理に関する情報（欠陥管理情報）が記録される。例えば、ＤＭＡには、複数の初期欠陥リスト（ＰＤＬ：Primary Defect List）、及び複数の二次欠陥リスト（ＳＤＬ：Secondary Defect List）がエントリされる。因みに、初期欠陥は、一次欠陥とも称する。
【００５２】
図７は、初期欠陥リストのデータ構造の概略を示す図である。図８は、二次欠陥リストのデータ構造の概略を示す図である。図７に示すように、初期欠陥リストには、先頭から順に、エントリタイプが記録されるエリア、リザーブ用のエリア、及び欠陥セクタ（欠陥があるセクタフィールドのことを指す）の物理セクタナンバーが記録されるエリアが含まれている。図８に示すように、二次欠陥リストには、先頭から順に、割り当てマーク（ＦＲＭ）が記録されるエリア、リザーブ用のエリア、欠陥ブロック中の先頭セクタ（欠陥ブロックを構成する１６個のセクタフィールドのうちの先頭のセクタフィールドのことを指す）の物理セクタナンバーが記録されるエリア、リザーブ用のエリア、及び交替ブロック中の先頭セクタ（交替ブロックを構成する１６個のセクタフィールドのうちの先頭のセクタフィールドのことを指す）の物理セクタナンバーが記録されるエリアが含まれている。
【００５３】
既に、図６を参照して説明したように、ＤＭＡアドレスエリアには、ＤＭＡの位置を示す位置情報（アドレス、レングス等）が記録される。従来は、ＤＤＳ、ＰＤＬ、ＳＤＬを含むＤＭＡ自体が内外周に配置されていた。これに対して、本発明の媒体では、内外周にＤＭＡの位置を示す位置情報だけを記録する。ＤＭＡの実体は、この位置情報を書き換えることにより移動させることができる。このためＤＭＡの実体に欠陥が増えた場合には、他のエリアに移動させることができる。つまり、ＤＭＡの実体を交替記録することができる。移動がスムーズになるように、あらかじめＤＭＡ用の予約エリアを確保する。例えば、Ｎ個ある各ゾーンに予約エリアを確保し、ＤＭＡの欠陥の増加に伴い、内周側から順番に移動させるルールに従うようにする。これにより、Ｎ−１箇所に移動できる。従来は欠陥管理されないＤＭＡ自体を守るために内周側２カ所、外周側２カ所の合計４カ所を書き換える必要があった。それに対して本発明では、１カ所のみ書き換えれば良い。もちろん本発明でも、２カ所以上のＤＭＡを同時に書き換えるようにすることも可能である。ＤＭＡを２カ所配置する場合は、２カ所の位置を指定する必要がある。アクセス速度を落とさないよう、同一ゾーン内にそれぞれのＤＭＡが対向するように配置すれば欠陥に対して強くなる。
【００５４】
続いて、交替処理について説明する。交替処理には、スリッピング交替処理及びリニア交替処理がある。スリッピング交替処理は、初期欠陥に対する処理であり、セクタフィールドの単位で行われる交替処理である。リニア交替処理は、二次欠陥に対する処理であり、ＥＣＣブロックデータの単位で行われる交替処理である。詳細は、以下説明する。
【００５５】
第１に、スリッピング交替処理について説明する。
【００５６】
光ディスクの出荷前には、光ディスク上におけるリライタブルデータゾーンに欠陥（＝初期欠陥）がないか検証（サーティファイ）される。つまり、リライタブルデータゾーンに対して、データが正常に記録できるかが検証される。この検証は、セクタフィールドの単位で行われる。
【００５７】
検証中に、欠陥セクタ（＝一次欠陥エリア：初期欠陥があるセクタフィールドのことを指す）が発見された場合、この欠陥セクタの物理セクタナンバーが、初期欠陥リストに記録される。さらに、この欠陥セクタには、論理セクタナンバーは付与されない。詳しく言うと、この欠陥セクタを飛ばして、この欠陥セクタの前後に配置されている正常セクタ（欠陥がないセクタフィールドのことを指す）に対してだけ、シリアルに論理セクタナンバーが付与される。つまり、欠陥セクタは、存在しないセクタとして見なされることになる。これにより、このような欠陥セクタに対して、ユーザデータの書き込み等は行われなくなる。上記した一連の処理が、スリッピング交替処理である。つまり、このスリッピング交替処理では、欠陥セクタがスリップされることになる。
【００５８】
さらに、図９を参照して、スリッピング交替処理について説明する。
【００５９】
図９に示すように、ユーザエリア（図５に示すユーザエリアＵＡ）とスペアエリア（図５に示すスペアエリアＳＡ）が存在しているとする。このユーザエリアとスペアエリアは、図１で説明したゾーン０〜ゾーンＮのうちのどこかに存在しているものとする。
【００６０】
例えば、検証中に、ｍ個の欠陥セクタと、ｎ個の欠陥セクタが発見された場合、（ｍ＋ｎ）個の欠陥セクタが、スペアエリアにより補償される。つまり、図９の上段に示すユーザエリアを構成するセクタ数が、スペアエリアにより補償されることになる。また、上記説明したように、ｍ個の欠陥セクタ及びｎ個の欠陥セクタには、論理セクタナンバーは付与されない。さらに言うと、スペアエリアもスリッピング交替処理の対象エリアである。従って、スペアエリア中に、欠陥セクタが発見されれば、上記説明したスリップ交替処理により処理される。なお、欠陥セクタ、正常セクタにかかわらず、全セクタは、物理セクタナンバーを有している。
【００６１】
第２に、リニア交替処理について説明する。
【００６２】
光ディスクの出荷後、ユーザデータの書き込みを行うときには、ユーザデータが正常に書き込まれたか否かの確認（ベリファイ）が行われる。ユーザデータが正常に書き込まれない状況を二次欠陥と称する。この二次欠陥の有無は、図３に示すＥＣＣブロックデータが記録された１６個のセクタフィールド（ＥＣＣブロックフィールド）の単位で行われる。
【００６３】
欠陥ブロック（＝二次欠陥エリア：二次欠陥があるＥＣＣブロックフィールドのことを指す）が発見された場合、この欠陥ブロック中の先頭セクタの物理セクタナンバー、及びこの欠陥ブロックの交替先の交替ブロック（スペアエリア中に確保されるＥＣＣブロックフィールドのことを指す）中の先頭セクタの物理セクタナンバーが二次欠陥リストに記録される。また、欠陥ブロック中の１６個のセクタフィールドに付与された論理セクタナンバーが、そのまま、交替ブロック中の１６個のセクタフィールドに付与される。これにより、欠陥ブロックに対して記録されるはずのデータは、交替ブロックに記録されることになる。以後、欠陥ブロックへのアクセスは、交替ブロックへのアクセスと見なされる。上記した一連の処理が、リニア交替処理である。つまり、このリニア交替処理では、欠陥ブロックがリニアに交替されることになる。
【００６４】
さらに、図１０を参照して、リニア交替処理について説明する。
【００６５】
図１０に示すように、ユーザエリアとスペアエリアが存在しているとする。このユーザエリアとスペアエリアは、図１で説明したゾーン０〜ゾーンＮのうちのどこかに存在しているものとする。
【００６６】
例えば、ユーザデータの書き込みの際に、ｍ個の欠陥ブロックと、ｎ個の欠陥ブロックが発見された場合、（ｍ＋ｎ）個の欠陥ブロックが、スペアエリアの（ｍ＋ｎ）個の交替ブロックにより補償される。また、上記説明したように、ｍ個の欠陥ブロック及びｎ個の欠陥ブロックを構成する｛１６×（ｍ＋ｎ）｝個のセクタフィールドに付与されていた論理セクタナンバーは、（ｍ＋ｎ）個の交替ブロックを構成する｛１６×（ｍ＋ｎ）｝個のセクタフィールドに引き継がれる。さらに言うと、スペアエリアもリニア交替処理の対象エリアである。従って、スペアエリア中に、欠陥ブロックが発見されれば、上記説明したリニア交替処理によって処理される。なお、欠陥ブロック、正常ブロックにかかわらず、ブロックを構成する全セクタフィールドは、物理セクタナンバーを有している。
【００６７】
続いて、上記したスリッピング交替処理及びリニア交替処理に対応したユーザデータの書き込み処理について説明する。
【００６８】
ユーザエリアに対するユーザデータの書き込みは、一次欠陥リスト及び二次欠陥リストに基づき行われる。つまり、あるセクタフィールドに対してユーザデータを書き込むとき、このセクタフィールドが一次欠陥リストにリストされた欠陥セクタに該当する場合には、この欠陥セクタをスリップして、この欠陥セクタの次に存在する正常セクタに対してユーザデータの書き込みが行われる。また、ユーザデータの書き込み先のブロックが、二次欠陥リストにリストされた欠陥ブロックである場合、この欠陥ブロックに対応した交替ブロックにユーザデータの書き込みが行われる。
【００６９】
続いて、光ディスクのフォーマットについて説明する。
【００７０】
パーソナルコンピュータ用の情報記憶媒体（ハードディスクや光磁気ディスクなど）のファイルシステムで多く使われるＦＡＴ（ファイルアロケーションテーブル）では、２５６バイトまたは５１２バイトを最小単位として情報記憶媒体へ情報が記録される。
【００７１】
それに対し、ＤＶＤ-ビデオ、ＤＶＤ−ＲＯＭ、ＤＶＤ−Ｒ、ＤＶＤ−ＲＡＭ等の情報記憶媒体では、ファイルシステムとしてＯＳＴＡで策定されたＵＤＦ（ユニバーサルディスクフォーマット）及びＩＳＯ１３３４６が採用されている。ここでは２０４８バイトを最小単位として情報記憶媒体へ情報が記録される。ファイル管理方法としては、基本的にルートディレクトリを親に持ち、ツリー状にファイルを管理する階層ファイルシステムを前提としている。
【００７２】
図１１に示すように、光ディスク１に対するフォーマットは、ホスト装置３に接続された光ディスクドライブ２により行われる。ホスト装置３は、光ディスクドライブ装置２に対して各種指示を出す。光ディスクドライブ２は、ホスト装置３から送信される指示に従い各種動作を実行する。
【００７３】
フォーマット時には、光ディスク１のリードインエリアＡ１のＤＭＡアドレスエリアにＤＭＡの位置情報、ユーザエリアのＤＭＡに欠陥管理リスト（ＤＭＡの実体）が作成される。ＤＭＡ自体の欠陥が増えて訂正不能になる前にドライブはＤＭＡ位置を動かすことができる。本発明ではＤＭＡの位置を可変にすることでＤＭＡ自体の対障害性を増し、ＤＭＡ内容書き換えのためのアクセス頻度を減らすことができる。
【００７４】
続いて、図１２を参照して、情報記録再生装置（光ディスクドライブ２）の概略について説明する。図１２に示す情報記録再生装置は、この発明の情報記録媒体に相当する光ディスク１に対して所定のデータを記録したり、光ディスク１に記録されたデータを再生したりするものである。この情報記録再生装置は、ディスクモータ２０２、ＰＵＨ（ピックアップヘッド）２０３、レーザ制御部２０４、記録データ生成部２０５、信号処理部２０６、エラー訂正処理部２０７、フォーカス／トラキング制御部２０８、メモリ２０９、及び主制御部２１０等を備えている。
【００７５】
ディスクモータ２０２は、光ディスク１を所定速度で回転させる。ＰＵＨ２０３は、レーザ照射部２０３ａ及び光検出部２０３ｂを備えている。レーザ照射部２０３ａは、光ディスクに対して照射パワーの異なる記録用光ビーム及び再生用光ビームを選択的に照射する。光検出部２０３ｂは、レーザ照射部２０３ａから照射された光ビームの光ディスクからの反射光を検出する。レーザ制御部２０４は、レーザ照射部２０３ａのオン／オフを制御すると共に、このレーザ照射部２０３ａから照射される光ビームの照射パワーを制御する。記録データ生成部２０５は、記録対象のデータにエラー訂正コードを付加して記録用データを生成する。
【００７６】
信号処理部２０６は、光検出部２０３ｂで検出された反射光に反映されたデータを再生する。エラー訂正処理部２０７は、信号処理部２０６で再生されたデータに含まれるエラー訂正コードに基づき、再生されたデータに含まれるエラーを訂正する。また、このエラー訂正処理部７は、エラー検出部２０７ａ及びエラーライン判定部２０７ｂを備えている。エラー検出部２０７ａは、信号処理部２０６で再生されたデータに含まれるエラー訂正コードに基づき、再生された１ライン中のデータに含まれるエラーバイト数を検出する。エラーライン判定部２０７ｂは、エラー検出結果に基づき、再生されたラインがエラーラインに該当するか否かを判定する。例えば、１ライン中に５バイト以上のエラーが含まれたラインをエラーラインとして判定する。１ライン中に４バイトまでのエラーが含まれている場合には、エラー訂正コードのエラー訂正能力で訂正することができる。しかし、これ以上のエラーが含まれている場合には、エラー訂正コードでは訂正できない。このため、１ライン中に５バイト以上のエラーが含まれたラインをエラーラインとして判定する。
【００７７】
フォーカス／トラッキング制御部８は、信号処理部２０６で再生されたデータに基づきＰＵＨ３から照射される光ビームのフォーカス及びトラッキングを制御する。メモリ２０９には、予め各種制御情報が記憶されている。さらに、このメモリ２０９には、光ディスクから読み出される各種制御情報も記憶される。主制御部２１０は、ホスト装置３からの命令及びメモリ２０９に記憶された各種制御情報に基づき、情報記録再生装置を制御して、光ディスク１に対して目的の情報を記録したり、光ディスク１に記録されている目的の情報を再生したりする。
【００７８】
ここで、上記説明した情報記録再生装置により光ディスク１に対して情報を記録する記録処理、及び光ディスク１から情報を再生する再生処理について説明する。
【００７９】
まず、図１３を参照して記録処理について説明する。光ディスク１が情報記録再生装置に装填されると、主制御部２１０からリードインエリア及びリードアウトエリアの読み出しが指示される。この指示に基づき、レーザ制御部２０４がレーザ照射部２０３ａを制御するとともに、フォーカス／トラッキング制御部２０８がフォーカス／トラッキングの制御を開始する。これにより、リードインエリア及びリードアウトエリアから各種制御情報が読み出される（ＳＴ１０１）。このとき、リードインエリア及びリードアウトエリアのＤＭＡアドレスエリアからアドレスデータが読み出される（ＳＴ１０２）。このアドレスデータに基づきＤＭＡにアクセスし、ＤＭＡから欠陥管理情報が読み出される（ＳＴ１０３）。読み出された欠陥管理情報は、制御情報としてメモリ２０９に格納される。
【００８０】
既に説明したように、ＤＭＡの実体は、ユーザエリア内に配置されている。従って、ＤＭＡも欠陥管理の対象となり、これによりＤＭＡに格納される欠陥管理情報の信頼性を維持することができる。そこで、ＤＭＡから欠陥管理情報が読み出されたとき、所定の条件を判定基準として、ＤＭＡが交替記録される。例えば、読み出されたデータ（欠陥管理情報）に含まれるエラー数が所定値を超えると（ＳＴ１０４、ＹＥＳ）、欠陥管理情報が交替記録される。つまり、欠陥管理情報がＤＭＡ予備エリアに移動させられる（ＳＴ１０５）。ＤＭＡ予備エリアは、例えば、ＤＭＡ予備エリア１、ＤＭＡ予備エリア２、…、ＤＭＡ予備エリアＮの順に使用されるものとする。このＤＭＡ予備エリア使用順序は、予め情報記録再生装置のメモリ１０９に制御情報として格納されているものとする。欠陥管理情報がＤＭＡ予備エリアに交替記録された場合には、これに伴いＤＭＡアドレスエリアに格納されたアドレスが書き換えられる。つまり、ＤＭＡ予備エリアを指すアドレスに書き換えられる。読み出されたデータに含まれるエラー数が所定値以下であれば（ＳＴ１０４、ＮＯ）、欠陥管理情報は交替記録されない。例えば、ＥＣＣのエラー訂正能力を超える前に、欠陥管理情報が交替記録されるような条件を設定する方法が考えられる。
【００８１】
ホスト装置３からユーザエリアにおける目的のアドレスに対する目的のデータの記録が指示されると、主制御部２１０の制御により目的のアドレスに対する目的のデータの記録処理が実行される（ＳＴ１０６、ＹＥＳ）。このとき、欠陥管理情報に基づき、目的のアドレスの記録先が欠陥エリアに該当しないことが判明した場合には（ＳＴ１０７、ＮＯ）、そのまま目的のアドレスに対して目的のデータが記録される（ＳＴ１０８）。欠陥管理情報に基づき、目的のアドレスの記録先が欠陥エリアに該当していることが判明した場合には（ＳＴ１０７、ＹＥＳ）、目的のアドレスに対応する交替先のアドレス（スペアエリア）に対して目的のデータが交替記録される（ＳＴ１０９）。さらに、交替記録されたことを示す情報がＤＭＡに追加記録される（ＳＴ１１０）。
【００８２】
続いて、図１４を参照して再生処理について説明する。光ディスク１が情報記録再生装置に装填されると、主制御部２１０からリードインエリア及びリードアウトエリアの読み出しが指示される。この指示に基づき、レーザ制御部２０４がレーザ照射部２０３ａを制御するとともに、フォーカス／トラッキング制御部２０８がフォーカス／トラッキングの制御を開始する。これにより、リードインエリア及びリードアウトエリアから各種制御情報が読み出される（ＳＴ２０１）。このとき、リードインエリア及びリードアウトエリアのＤＭＡアドレスエリアからアドレスデータが読み出される（ＳＴ２０２）。このアドレスデータに基づきＤＭＡにアクセスし、ＤＭＡから欠陥管理情報が読み出される（ＳＴ２０３）。読み出された欠陥管理情報は、制御情報としてメモリ２０９に格納される。
【００８３】
ホスト装置３からユーザエリアにおける目的のアドレスから目的のデータの再生が指示されると、主制御部２１０の制御により目的のアドレスから目的のデータの再生処理が実行される（ＳＴ２０４、ＹＥＳ）。このとき、欠陥管理情報に基づき、目的のアドレスの記録先が欠陥エリアに該当しないことが判明した場合には（ＳＴ２０５、ＮＯ）、そのまま目的のアドレスから目的のデータが再生される（ＳＴ２０６）。欠陥管理情報に基づき、目的のアドレスの記録先が欠陥エリアに該当していることが判明した場合には（ＳＴ２０５、ＹＥＳ）、目的のデータがこの欠陥エリアの交替先となるスペアエリアから再生される（ＳＴ２０７）。
【００８４】
次に、図１５〜図１９を参照して、従来の欠陥管理と本発明の欠陥管理との違いについて説明する。図１５は、従来の欠陥管理方法が適用された光ディスクのデータ構造の概略を示す図である。図１６及び図１７は、この発明の欠陥管理方法が適用された光ディスクのデータ構造の概略を示す図である。図１８は、従来の欠陥管理方法が適用された光ディスクに対する光ピックアップヘッドの動きを示す図である。図１９は、本発明の欠陥管理方法が適用された光ディスクに対する光ピックアップヘッドの動きを示す図である。
【００８５】
従来の光ディスクは、図１５に示すように、最内周（リードインエリア）及び最外周（リードアウトエリア）に、ＤＭＡの実体が多重書きされていた。つまり、最内周にはＤＭＡ１とＤＭＡ２とが重複して書かれており、最外周にはＤＭＡ３とＤＭＡ４とが重複して書かれている。
【００８６】
これに対して、この発明の光ディスクは、図１６及び図１７に示すように、最内周（リードインエリア）及び最外周（リードアウトエリア）に、ＤＭＡの位置を示すアドレスだけが多重書きされる。つまり、最内周のＤＭＡアドレスエリアにはＤＭＡの位置を示すアドレスとして、ＤＭＡの位置１とＤＭＡの位置２とが重複して書かれており、最外周のＤＭＡアドレスエリアにはＤＭＡの位置を示すアドレスとして、ＤＭＡの位置３とＤＭＡの位置４とが重複して書かれる。なお、ＤＭＡの位置１〜４は同一のアドレスデータである。また、ＤＭＡの実体の交替記録先として、複数のＤＭＡ予備エリア（図中のＤＭＡ予約位置）が設けられている。図１７に示すように、ＤＭＡの実体が、ＤＭＡの予備エリアに交替記録されたときに限り、最内周及び最外周のＤＭＡの位置を示すアドレスが書き換えられる。
【００８７】
従来の光ディスクでは、図１８に示すように、目的のアクセス先（記録先）が欠陥管理対象（図中の斜線部）である場合には、まず、光ピックアップヘッドは交替先（スペアエリア）に移動し（移動１１）、この交替先に目的のデータを記録する。続いて、光ピックアップヘッドは最内周のＤＭＡ１及びＤＭＡ２に移動し（移動１２）、ＤＭＡ１及びＤＭＡ２を更新（欠陥管理情報の追加記録）する。さらに、光ピックアップヘッドは最外周のＤＭＡ１及びＤＭＡ２に移動し（移動１３）、ＤＭＡ３及びＤＭＡ４を更新する。このあと、再び、光ピックアップヘッドは目的のアクセス先（記録先）の続きに戻り（移動１４）、目的のデータの記録を続ける。
【００８８】
これに対して、この発明の光ディスクでは、図１９に示すように、目的のアクセス先（記録先）が欠陥管理対象（図中の斜線部）である場合には、まず、光ピックアップヘッドは交替先（スペアエリア）に移動し（移動２１）、この交替先に目的のデータを記録する。続いて、光ピックアップヘッドはユーザエリア内のＤＭＡに移動し（移動２２）、ＤＭＡを更新（欠陥管理情報の追加記録）する。このあと、再び、光ピックアップヘッドは目的のアクセス先（記録先）の続きに戻り（移動２３）、目的のデータの記録を続ける。
【００８９】
以上説明したように、光ピックアップヘッドによるアクセス動作を極めて簡略化することができ、結果的にアクセス速度の向上を図ることができる。
【００９０】
以上の説明では、リードインエリア及びリードアウトエリアにＤＭＡアドレスエリアを設け、このＤＭＡアドレスエリアに格納されるアドレスデータによりＤＭＡの実体を管理するケースについての記録場所を確定させるものとして説明した。しかし、この発明は、次にようにしてもよい。例えば、ＤＭＡの実体の記録場所を事前に登録しておく。ここで言う記録場所とは、初期位置だけでなく、ＤＭＡ予備エリアも含む。その上で、どの記録場所が使用されているかの情報だけを持つことにより、リードインエリア及びリードアウトエリアにＤＭＡの記録先のアドレスデータを格納しなくても、ＤＭＡの記録先を常に把握することができる。
【００９１】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００９２】
【発明の効果】
この発明によれば下記の情報記録媒体、情報記録装置、情報記録方法、情報再生装置、及び情報再生方法を提供できる。
【００９３】
（１）交替処理速度の向上に貢献することが可能なデータ構造を有する情報記録媒体。
【００９４】
（２）交替処理速度を向上させることが可能な情報記録装置及び情報記録方法。
【００９５】
（３）交替処理速度の向上に貢献するデータ構造を有する情報記録媒体を正確に再生することが可能な情報再生装置及び情報再生方法。
【図面の簡単な説明】
【図１】この発明の情報記録媒体の一例に係る光ディスク上のリードインエリア、データエリア、及びリードアウトエリアなどの配置を概略的に示す図である。
【図２】ＤＶＤ−ＲＡＭディスク上のセクタフィールドのデータ構造を概略的に示す図である。
【図３】ＥＣＣブロックデータの構造を概略的に示す図である。
【図４】図２に示すデータフィールドに記録されるセクタデータのデータ構造を概略的に示す図である。
【図５】光ディスク全体のデータ構造、特にリードインエリア、データエリア、及びリードアウトエリアに配置される欠陥管理に関する各種エリアを示す図である。
【図６】ＤＭＡアドレスエリアのデータ構造を概略的に示す図である。
【図７】初期欠陥リストのデータ構造を概略的に示す図である。
【図８】二次欠陥リストのデータ構造を概略的に示す図である。
【図９】スリッピング交替処理を説明するための図である。
【図１０】リニア交替処理を説明するための図である。
【図１１】ホスト装置、光ディスクドライブ、及び光ディスクの関係を示す図である。
【図１２】この発明の情報記録再生装置の概略構成を示すブロック図である。
【図１３】光ディスクに対する記録処理を説明するためのフローチャートである。
【図１４】光ディスクに対する再生処理を説明するためのフローチャートである。
【図１５】従来の欠陥管理方法が適用された光ディスクのデータ構造の概略を示す図である。
【図１６】この発明の欠陥管理方法が適用された光ディスクのデータ構造の概略を示す図である。
【図１７】この発明の欠陥管理方法が適用された光ディスクのデータ構造の概略を示す図であり、特にＤＭＡがＤＭＡ予備エリアに交替記録された状態を示す図である。
【図１８】従来の欠陥管理方法が適用された光ディスクに対する光ピックアップヘッドの動きを示す図である。
【図１９】本発明の欠陥管理方法が適用された光ディスクに対する光ピックアップヘッドの動きを示す図である。
【符号の説明】
１…光ディスク（情報記録媒体）
２０２…ディスクモータ
２０３…ＰＵＨ（ピックアップヘッド）
２０４…レーザ制御部
２０５…記録データ生成部
２０６…信号処理部
２０７…エラー訂正処理部
２０８…フォーカス／トラキング制御部
２０９…メモリ
２１０…主制御部
【図１】
0003971117.tif 000002
【図２】
0003971117.tif 000003
【図３】
0003971117.tif 000004
【図４】
0003971117.tif 000005
【図５】
0003971117.tif 000006
【図６】
0003971117.tif 000007
【図７】
0003971117.tif 000008
【図８】
0003971117.tif 000009
【図９】
0003971117.tif 000010
【図１０】
0003971117.tif 000011
【図１１】
0003971117.tif 000012
【図１２】
0003971117.tif 000013
【図１３】
0003971117.tif 000014
【図１４】
0003971117.tif 000015
【図１５】
0003971117.tif 000016
【図１６】
0003971117.tif 000017
【図１７】
0003971117.tif 000018
【図１８】
0003971117.tif 000019
【図１９】
0003971117.tif 000020